(57)【特許請求の範囲】
【請求項１】
小魚を模した外観形態を持つように形成された中空構造を有するルアーボディの先端部にリップを付設してなる釣り用ルアーであって、
前記ルアーボディ内部に架設した支軸と、この支軸に設定された支点に対して少なくとも左右方向に揺動可能に支持されるアームと、このアームの先端に取り付けた錘球とを有し、
前記錘球が前記アームを介して、前記ルアーボディ内部で少なくとも左右方向に振子式に移動可能に構成され、前記ルアーボディの左右内壁面に当接するようにし、
前記支軸の支点は、当該ルアーのウォブリングアクションのアクション支点に対して前方にオフセットされていると共に、前記錘球が前記ウォブリングアクションのアクション支点に対応位置することを特徴とする釣り用ルアー。
【請求項２】
前記アームは、前記支軸の支点のまわりに回動自在に支持されることを特徴とする請求項１に記載の釣り用ルアー。
【請求項３】
前記アームは、その基端が前記支軸の支点に固着した弾性部材でなり、更に上下方向に揺動可能であることを特徴とする請求項１に記載の釣り用ルアー。
【発明の詳細な説明】
【技術分野】
【０００１】
本発明は釣り用ルアー、特に魚に対して優れたアピール効果を発揮する音を発生可能な釣り用ルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
この種のルアーにおける対象魚に対するアピール効果は形態ばかりでなく、音を発生させることで、バスの捕食を促す効果を狙ったものがある。
【０００４】
具体的には例えば特許文献１に記載のルアーでは、深く沈めて上下に踊らせるジギング釣り用のルアーであつて、中実金属によって形成されて、外観が疑似餌となっているルアーが開示される。
【先行技術文献】
【特許文献】
【０００５】
【特許文献１】特開２００８−１８２９９４号公報
【発明の概要】
【発明が解決しようとする課題】
【０００６】
しかしながら、従来の釣り用ルアーでは対象魚に対して高いアピール効果を持つ音を発生させることが必ずしも容易でなかった。
【０００７】
本発明はかかる実情に鑑み、効果的に音を発生させて魚に対して優れたアピール効果を発揮する釣り用ルアーを提供することを目的とする。
【課題を解決するための手段】
【０００８】
本発明の釣り用ルアーは、小魚を模した外観形態を持つように形成された中空構造を有するルアーボディの先端部にリップを付設してなる釣り用ルアーであって、前記ルアーボディ内部に架設した支軸と、この支軸に設定された支点に対して少なくとも左右方向に揺動可能に支持されるアームと、このアームの先端に取り付けた錘球とを有し、前記錘球が前記アームを介して、前記ルアーボディ内部で少なくとも左右方向に振子式に移動可能に構成され、前記ルアーボディの左右内壁面に当接するようにし、前記支軸の支点は、当該ルアーのウォブリングアクションのアクション支点に対して前方にオフセットされていると共に、前記錘球が前記ウォブリングアクションのアクション支点に対応位置することを特徴とする。
【発明の効果】
【００１２】
本発明によれば、所謂、振子式サウンドシステムを採用する釣り用ルアーが構成され、高デシベル低周波音を一定周期で安定的に発生させることができる。この音により魚を刺激し、バイト確率を大幅に向上することができ、高い釣果を実現することができる。
また、かかる振子式サウンドシステムを、ウォブリングアクションを行うルアーに適用することで、ウォブリングアクションによる水圧変化と高デシベル低周波音との相乗効果を発揮し、バイト確率を大幅に向上することができる。
【図面の簡単な説明】
【００１３】
【図１】本発明の実施形態に係る釣り用ルアーの内部構造例を示す側面図である。
【図２】本発明の実施形態に係る釣り用ルアーの内部構造例を示す上面図である。
【図３】本発明の実施形態に係る釣り用ルアーにおけるウォブリングアクションの説明する上面図である。
【図４】本発明の実施形態に係る釣り用ルアーにおけるウォブリングアクションの水圧変化の挙動を模式的に示す上面図である。
【図５】本発明の比較例としてのルアーの内部構造例を示す側面図である。
【図６】本発明の比較例としてのルアーの内部構造例を示す上面図である。
【図７】本発明の比較例としてのルアーにおけるウォブリングアクションの説明する上面図である。
【図８】本発明の第２の実施形態に係る釣り用ルアーの内部構造例を示す側面図である。
【発明を実施するための形態】
【００１４】
以下、本発明による釣り用ルアーの好適な実施の形態について、添付図面に基づいて詳細に説明する。
以下、図面に基づき、本発明における釣り用ルアーの好適な実施の形態を説明する。  図１はこの実施形態における釣り用ルアー１０の内部構造例を示す側面図、図２は該釣り用ルアー１０の上面図である。なお、図１及び図２を含め、以下の説明で用いる図においては、必要に応じて前方を矢印Ｆｒにより、後方を矢印Ｒｒによりそれぞれ示し、また、側方右側を矢印Ｒにより、側方左側を矢印Ｌによりそれぞれ示す。
【００１５】
図１及び図２において、１１はルアーボディであり、このルアーボディ１１は合成樹脂製（ＡＢＳ樹脂等が好適であるが、その他のものでもよい）の材料により小魚に似せた外観形状となるように形成されている。この場合、ルアーボディ１１の長手方向（前後方向）中央に沿って左右二分した２つのボディハーフを相互に当接させることで一体化し、中空構造を有する。
【００１６】
また、１２はルアーボディ１１の先端部付近に設けた糸環であり、この例では糸環１２はルアーボディ１１の先端部の下面側に設けられる。糸環１２には釣糸もしくはライン１３が結び付けられる。更に、１４，１５はそれぞれフックハンガであり、これらのフックハンガ１４，１５にそれぞれスプリットリング（図示せず）を介してフロントフック（釣針）１６及びリヤフック１７が係着する。１８はルアーボディ１１の先端部付近下側に付設したリップ（潜水板）である。このリップ１８は薄い板状に形成され、ルアーボディ１１に対して比較的大きな傾斜角度（例えば６０°程度）で下方へ突出するように設けられる。糸環１２に結び付けたライン１３を引くことで、リップ１８が受けた水流抵抗によりルアー１０は例えば適度に前傾しながらの遊泳姿勢をとることができる。
【００１７】
本発明のルアー１０は、ルアーボディ１１内部に架設した支軸１９と、この支軸１９に設定された支点（あるいは支軸線）１９Ａに対して少なくとも左右方向に揺動可能に支持されるアーム２０と、このアーム２０の先端に取り付けた錘球２１とを有する。
【００１８】
具体的には図１に示されるようにルアーボディ１１の上内壁面１１ａ（実魚の背部側）と下内壁面１１ｂ（実魚の腹部側）のそれぞれ所定部位に、支軸１９の上端部１９ａ及び下端部１９ｂが結合する支持部２２，２３を有する。支軸１９は好適には金属製の棒状部材により構成され、ルアーボディ１１内で左右方向中央にて配置される。なお、支軸１９を合成樹脂材により形成することも可能であり、本例では支持部２２，２３により上下方向に支持される。また、アーム２０の上下にビーズ２４を装着し、アーム２０の動きを円滑化することができる。
【００１９】
アーム２０は好適には金属製の薄板材により構成され、支軸１９から後方へ延出し、その支点１９Ａのまわりに回動可能に支持される。なお、アーム２０を合成樹脂材により形成することも可能である。この場合、アーム２０を反射板として構成し、アーム２０に反射機能を持たせることで、特にルアーボディ１１の腹部まわりをクリアな色にした場合にアーム２０の動きが実魚の内臓の動きに似せるようにすることができる。つまりアーム２０を可動とすることで、より特徴的なフラッシング効果が得られるようにできる。支軸１９によるアーム２０の支持構造において、アーム２０の前端には支軸１９が挿通する挿通孔が形成され、この挿通孔を介してアーム２０が支点１９Ａに対してガタつきなく回動可能である。
【００２０】
錘球２１は好適には鉛あるいは錫等の比重の大きい金属製の球体により構成され、アーム２０の先端に固着する。なお、鉛及び錫等と同等な物理的性質を持つその他の金属等であってもよい。重い錘球２１とすることで、ルアーボディ１１の内壁面に当接した際に衝突音の高デシベル化に効果的に作用する。また、錘球２１の大きさとしては、直径７ｍｍ以上とするのが好適であり、ルアーボディ１１の内壁面に当接した際に衝突音の低周波化に効果的に作用する。
【００２１】
図２に示されるように錘球２１がアーム２０を介して、支点１９Ａに対して左右方向に振子式に移動可能であり（図２、矢印Ｘ）、ルアーボディ１１の右内壁面１１ｃ及び左内壁面１１ｄに当接可能となっている。この場合、錘球２１がルアーボディ１１の右内壁面１１ｃ及び左内壁面１１ｄに対して言わばジャストミートするかたちで点接触することにより、ルアーボディ１１の内壁面に当接した際に衝突音の高デシベル化に効果的に作用する。
【００２２】
ルアーボディ１１内には更に図１に示されるように腹部側に、複数の金属製の錘もしくはウェイト２５，２６，２７，２８等を設けてもよい。この場合、例えば鉛製のウェイト２５，２６とステンレス鋼製のウェイト２７，２８とし、これらのウェイト２５〜２８はウェイトルームあるいはガイドリブによって収容又はガイドされる。
【００２３】
ここで、図３は本発明のルアー１０におけるウォブリングアクションの様子を模式的に示している。このウォブリングアクションではルアー１０の遊泳中に、ルアーボディ１１を上下方向に通る軸（ウォブリング軸Ｚとする）のまわりに図３の矢印Ｙのように動作する。このウォブリングアクションは所謂、ヨーイング動作に対応する。支軸１９の支点１９Ａは、ルアー１０のウォブリングアクションのアクション支点であるウォブリング軸Ｚに対して、前方にオフセットされている。このように支軸１９の支点１９Ａを設定することで、ルアー１０のウォブリングアクションに連動するかたちで、錘球２１がアーム２０を介してルアーボディ１１内で左右に移動することができる。
【００２４】
上記の場合、錘球２１はルアー１０の遊泳姿勢等に特徴を持たせる所謂、バランスウェイトとして機能することもできる。この場合、本発明のルアー１０ではルアーボディ１１内部に、錘球２１を収容しあるいはガイドするための収容部、隔壁あるいはリブ等を極力設けないようにしている。ルアーボディ１１内部で隔壁等が、錘球２１のルアーボディ１１の内壁面との衝突音を吸収するのを抑止し、この点でも衝突音の高デシベル化に効果的である。
【００２５】
本発明のルアー１０は言わば振子式サウンドシステムを採用することで、高デシベル低周波音を一定周期で安定的に発生させることができる。音量の大きな低音の高デシベル低周波音による効能として、魚は側線器管で周囲の低周波音と水圧や水流の変化を敏感に感じ取るが、本発明のルアー１０はそのような高デシベル低周波音を一定周期で安定的に発生させる。これにより魚の側線器管を過度に刺激し、威嚇攻撃によるバイト確率を大幅に向上することができ、後述する従来のスライド式と比較してバイト確率を２０％以上向上させることが可能である。
【００２６】
また、本発明に係る振子式サウンドシステムを、ウォブリングアクションを行うルアー１０に搭載適用することで、ウォブリングアクションによる水圧変化と高デシベル低周波音との相乗効果を発揮し、バイト確率を大幅に向上することができる。
【００２７】
ここで、図４はウォブリングアクションによる水圧変化の挙動を模式的に示している。ウォブリングアクションを行わせる場合、ライン１３を引くことで（図４、矢印Ｄ）、リップ１８が水流Ｗを受けることにより、ルアー１０はウォブリングアクションのアクション支点のまわりに回動動作をする（図４、矢印Ｙ）。このときルアー１０の回動動作により、図４に示すようにルアーボディ１１後部まわりの水が攪拌されて攪拌流Ｗ′が生じ、これによりルアー１０の後方に水圧変化が発生する。
【００２８】
魚は側線器管で低周波音に加えて、水圧や水流の変化を敏感に感じ取ることができる。高デシベル低周波音と水圧変化を同時に発生させることで、魚の側線器管をより刺激することにより威嚇攻撃によるバイト確率を最大限に向上することができる。
【００２９】
なお、本発明のルアー１０では更に、アーム２０を反射板として構成した場合、高デシベル低周波音及び水圧変化のそれぞれ、それらの相乗効果に加えて更に、特有のフラッシング効果による重畳作用が得られる。
【００３０】
ここで、従来のルアーの例を本発明のルアー１０との関係で説明する。図５〜図７は従来のルアー１００を示し、以下では要部についてのみ説明する。ルアー１００においてそのルアーボディ１０１内部には左右の内壁面間に形成されたガイド１０２を有し、このガイド１０２内でウェイトもしくは錘球１０３が左右方向にスライド式に移動可能（図６、矢印Ｙ）に収容される。この場合、ガイド１０２は図５のようにルアーボディ１０１の上下方向及び左右（前後方向）の中心部に形成される。
【００３１】
従来のルアー１００では、ウォブリングアクションのアクション支点（ウォブリング軸Ｚ）が、錘球１０３を収容するガイド１０２のある位置と実質的に対応一致する。このためウォブリングアクションにおいてルアー１００が図７の矢印Ｙのように動作しても、錘球１０３が左右に動き難く、左右の内壁面との有効な衝突音が発生しない。
これに対して本発明のルアー１０では前述のように、錘球２１の揺動支点となる支点１９Ａがウォブリングアクションのアクション支点（ウォブリング軸Ｚ）に対してオフセットされている。これによりルアー１０のウォブリングアクションに連動して、錘球２１がアーム２０を介してルアーボディ１１内で振子式に効率よく移動することができる。
【００３２】
更に、図８を用いて本発明の釣り用ルアー１０の第２の実施形態を説明する。なお、上述の実施形態の場合と実質的に同一又は対応する部材には同一符合を用いるものとする。この第２の実施形態において、アーム２０は図８に示されるように、その基端が支軸１９の支点１９Ａに固着した弾性部材でなり、これにより左右方向に加えて更に上下方向に揺動可能である。アーム２０は弾性変形可能で、錘球２１を支持するために必要な剛性強度を有する鋼線材等を用いて形成される。その他の構成は、実質的に第１の実施形態の場合と同様である。
【００３３】
第２の実施形態のルアー１０によれば、ルアー１０のウォブリングアクションに連動するかたちで、錘球２１がアーム２０を介してルアーボディ１１内で左右に移動する。そして、ルアーボディ１１の右内壁面１１ｃ及び左内壁面１１ｄに当接する錘球２１が、高デシベル低周波音を発生させる。
これに加えて、ルアー１０の遊泳中にルアーボディ１１の頭部が上下に首を振る所謂、ピッチング動作を行った場合等に錘球２１がアーム２０を介してルアーボディ１１内で上下に移動する。そして、錘球２１がルアーボディ１１の上内壁面１１ａ及び下内壁面１１ｂに当接し、この場合にも高デシベル低周波音を発生させる。
【００３４】
なお、本発明の好適な実施形態を説明したが、本発明は上述した実施形態にのみ限定されるものではなく、必要に応じて適宜変更等が可能である。
例えばアーム２０や錘球２１の具体的寸法等について、本発明を適用すべきルアーに応じて適宜設定することができる。
また、上述の実施形態における支軸１９の支点１９Ａが、ルアー１０のウォブリングアクションのアクション支点であるウォブリング軸Ｚに対して、後方にオフセットされる場合も含まれる。
【符号の説明】
【００３５】
１０  ルアー
１１  ルアーボディ
１２  糸環
１３  ライン
１４，１５  フックハンガ
１６  フロントフック
１７  リヤフック
１８  リップ
１９  支軸
１９Ａ  支点
２０  アーム
２１  錘球
【図１】
0006559457.tif 000002
【図２】
0006559457.tif 000003
【図３】
0006559457.tif 000004
【図４】
0006559457.tif 000005
【図５】
0006559457.tif 000006
【図６】
0006559457.tif 000007
【図７】
0006559457.tif 000008
【図８】
0006559457.tif 000009